(57)【要約】【課題】  必要に応じて応答性良く、マニュアルフォーカスによる合焦状態をオートフォーカスにより調整可能にアシストできるようにしたレンズ装置を提供する。【解決手段】  被写体側から第１のフォーカスレンズ１であるマニュアルフォーカス可能な前玉フォーカスレンズ、ズームレンズ、第２のフォーカスレンズであるオートフォーカス用の結像レンズを備え、該第１のフォーカスレンズによるマニュアルフォーカスと該第２のフォーカスレンズによるオートフォーカスを行えるようにしたレンズ装置において、該第２のフォーカスレンズによるオートフォーカスを実行するための操作手段と、該第２のフォーカスレンズによるオートフォーカスの制御手段とを有し、該操作手段の操作によって該制御手段を制御して該第１のフォーカスレンズによるマニュアルフォーカスでの合焦状態を調整可能に構成する。【選択図】  図１
2005222036.tif 000002
【特許請求の範囲】
【請求項１】
被写体側から順に、マニュアルフォーカス用の第１のフォーカスレンズ、ズームレンズ、オートフォーカス用の第２のフォーカスレンズを備えたレンズ装置において、
前記第２のフォーカスレンズによるオートフォーカスを実行するための第１のマニュアル操作手段と、該第２のフォーカスレンズによるオートフォーカスの制御手段とを有し、
前記第１のフォーカスレンズの位置を維持しつつ前記第１のマニュアル操作手段の操作によって前記制御手段を制御して前記第２のフォーカスレンズを移動させることで前記第１のフォーカスレンズによるマニュアルフォーカスでの第１の合焦状態よりピントずれが小さい第２の合焦状態とすることを特徴とするレンズ装置。
【請求項２】
前記制御手段は、前記第２のフォーカスレンズを駆動する駆動手段と、前記第２のフォーカスレンズを移動させて得られた合焦情報を検知する第１の検知手段と、を有することを特徴とする請求項１に記載のレンズ装置。
【請求項３】
前記制御手段は、前記駆動手段によって第２のフォーカスレンズの移動範囲が所定の範囲を越えて移動することを制限するレンズ駆動停止手段を有することを特徴とする請求項１又は請求項２に記載のレンズ装置。
【請求項４】
前記第２のフォーカスレンズが、所定の移動範囲内で前記第１の検知手段から合焦結果が得られない場合に、合焦不能を警告する警告手段を有することを特徴とする請求項３に記載のレンズ装置。
【請求項５】
更に、前記レンズ装置は、前記第１のフォーカスレンズの動作を検知する第２の検知手段と、該第１のフォーカスレンズによるマニュアルフォーカスを実行するための第２のマニュアル操作手段とを有し、
該第２の検知手段が前記第２のフォーカスレンズによるオートフォーカスの動作中に第２のマニュアル操作手段を操作による該第１のフォーカスレンズの動作を検知したとき、前記駆動手段による該第２のフォーカスレンズの移動を停止することを特徴とする請求項１〜４のいずれか１項に記載のレンズ装置。
【請求項６】
前記レンズ装置は、モード選択スイッチを有し、
該モード選択スイッチにより第一モードが選択されたときには前記第１のマニュアル操作手段の操作により一度だけオートフォーカスが機能し、
該モード選択スイッチにより第二モードが選択されたときには該第１のマニュアル操作手段の操作中はいつでもオートフォーカスが機能し、
該モード選択スイッチにより第三モードが選択されたときには該第１のマニュアル操作手段の操作によりオートフォーカスが機能し、該第１のマニュアル操作手段を再度操作することによりオートフォーカス機能が停止することを特徴とする請求項５に記載のレンズ装置。
【請求項７】
前記レンズ装置は、前記マニュアルフォーカスから前記オートフォーカスが実行され、再度マニュアルフォーカスに戻された際に、前記第２のフォーカスレンズを基準位置へ戻すために操作する基準位置復帰操作手段を有し、該基準位置復帰操作手段の操作によって該駆動手段を駆動して該第２のフォーカスレンズを基準位置へ戻すことを特徴とする請求項１〜６のいずれか１項に記載のレンズ装置。
【請求項８】
前記レンズ装置は、マニュアルフォーカス専用モードと、マニュアルフォーカスとオートフォーカスを併用する併用モードとに切り換え可能なモード切換手段を有することを特徴とする請求項１〜７のいずれか１項に記載のレンズ装置。
【請求項９】
前記併用モードの動作中に、前記モード切換手段によるマニュアルフォーカス専用モードへの切り換えによって、前記第２のフォーカスレンズを基準位置へ戻すことを特徴とする請求項８に記載のレンズ装置。
【請求項１０】
請求項１〜９のいずれか一項記載のレンズ装置と、該レンズ装置に装着され、撮像素子を有するカメラ装置と、を備えた撮影装置。
【発明の詳細な説明】
【技術分野】
【０００１】
本発明は、レンズ装置、及び、レンズ装置とレンズ装置に装着されるカメラ装置を搭載した撮影装置に関し、特にテレビジョン撮影に用いられるＴＶレンズに好適な撮影装置に関する。
【背景技術】
【０００２】
テレビジョン撮影等に用いられるＴＶレンズ（テレビ撮影装置）の光学系は、通常、例えば特許文献１に示されるような、物体側から前玉フォーカスレンズ群、バリエータ及びコンペンセーターから成るズームレンズ群、ＣＣＤに結像するための結像レンズ群で構成され、被写体に対してピントを合わせる時にはマニュアルで前玉フォーカスレンズ群を操作している。
【０００３】
しかし、近年ＨＤカメラの普及で、従来以上に解像力が高く被写界深度の浅いＴＶレンズが頻繁に使われてきている。このような被写界深度の浅いレンズをカメラマンが肩に担いで撮影するポータブルタイプの撮影装置では、カメラマンが撮影装置の小さなビューファインダーの映像で合焦しているかどうか判断することが難しく、ピントを合わせたつもりでも収録後の映像をモニターで確認すると微妙なピントずれが発覚するケースが増えている。
【０００４】
このような問題に対処するため、最近では、例えば特許文献２に示されるような、マニュアルフォーカスに加えてオートフォーカス（以下、ＡＦと記す。）機能を備えたＴＶレンズも提案されている。その方法として、手動時は前玉フォーカスレンズを操作し、ＡＦ時には結像レンズ群の一部をウォブリングして映像信号の変化を検知し、ボケのない方向へ前玉フォーカスレンズ群を駆動する方法が提案されている。
【０００５】
また、別の構成例として、例えば特許文献３に示されるような、手動時は前玉フォーカスレンズを操作し、ＡＦ時には前玉群を無限端に操作した後でロックし、結像レンズ群の一部を駆動する方法が提案されている。
【特許文献１】ＵＳＰ５５１５２０４
【特許文献２】ＵＳＰ５９１２７７４
【特許文献３】ＵＳＰ４６０９２６０
【発明の開示】
【発明が解決しようとする課題】
【０００６】
しかしながら、上記従来例における特許文献２のものでは、ＡＦ時に質量の大きい前玉レンズ群を駆動するため、ＡＦに必要な高い応答性を得ることができないことに加えて、多大な消費電力を必要とすることとなる。また手動時、ＡＦ時共に前玉フォーカスレンズ群を駆動するために、双方のモードに応じた切換機構が必要となり、構造が複雑化するという問題も有している。
【０００７】
また、上記従来例における特許文献３のものでは、ＡＦ時の駆動レンズの質量が小さいため、高い応答性を得ることができるが、ＡＦ時に前玉フォーカスを無限端に操作してロックする必要がある。常時ＡＦ撮影する使い方であればこのようなモード切換の手順でも問題とはならないが、マニュアル操作中、瞬時にＡＦ駆動する時には対応が困難であると同時に、ＡＦからマニュアルモードに戻る時も無限位置から操作しなければならず、使い勝手の良いものではない。
【０００８】
ＴＶレンズ（テレビ撮影装置）を扱うプロのカメラマンは、被写体に対して単に合焦させるだけでなく、映像効果として故意にピントをぼかす使い方をすることや、多種多様な撮影条件では現状のＡＦ性能ではカメラマンの思惑通りの映像が撮れない等の理由から、フォーカスはマニュアルで操作している。特に解像力の高いＨＤレンズを用いて、絵作りに凝るハイプロのカメラマンには自分の意のままに操作できるマニュアル操作は撮影上必須の条件である。
【０００９】
一方で高解像力のレンズ故に、撮影条件によってはテレビ撮影装置のビューファインダーの小さな映像では合焦の度合いを判別することは困難であり、通常はマニュアルによるピント合せで十分であるが、微調整の必要が生じた時だけＡＦによりピント合せの手助けができるレンズが理想の姿であり、さらにＡＦ終了後は再びマニュアル操作できる状態であることが望まれている。
【００１０】
そこで、本発明は、必要性に応じて応答性良く、マニュアルフォーカスによる合焦状態をオートフォーカスにより調整可能にアシストできるようにした撮影装置を提供することを目的としている。
【課題を解決するための手段】
【００１１】
本発明は、以下のように構成したＡＦ用とＭＦ用のフォーカス手段を備えたレンズ装置を提供するものである。
【００１２】
すなわち、本発明のレンズ装置は、被写体側から順に、マニュアルフォーカス用の第１のフォーカスレンズ、ズームレンズ、オートフォーカス用の第２のフォーカスレンズを備えたレンズ装置において、
第２のフォーカスレンズによるオートフォーカスを実行するための第１のマニュアル操作手段と、第２のフォーカスレンズによるオートフォーカスの制御手段とを有し、
第１のフォーカスレンズの位置を維持しつつ第１のマニュアル操作手段の操作によって前記制御手段を制御して第２のフォーカスレンズを移動させることで第１のフォーカスレンズによるマニュアルフォーカスでの第１の合焦状態よりピントずれが小さい第２の合焦状態とすることを特徴としている。
【００１３】
これにより、マニュアルフォーカスから素早くオートフォーカスへと移行して、応答性が良く低消費電力でピント合わせをアシストすることが可能となる。
【００１４】
また、本発明のレンズ装置は、制御手段が、第２のフォーカスレンズを駆動する駆動手段、第２のフォーカスレンズを経て得られた合焦情報を検知する合焦検知手段と、を有する構成とすることができる。また、この合焦検知手段は、より具体的には、例えば、光学系を通してＣＣＤに結像した被写体像を画像処理回路でビデオ信号に変換し、前記ビデオ信号のコントラスト値をＣＰＵで比較演算することで合焦情報を検知するように構成することができる。
【００１５】
また、本発明のレンズ装置は、駆動手段による第２のフォーカスレンズの駆動を制御する制御手段が、駆動手段によって第２のフォーカスレンズの移動範囲が所定の範囲を越えて移動することを制限するレンズ駆動停止手段を有する構成とすることができる。
【００１６】
これにより、レンズが長大化することなくオートフォーカスによるフォーカスアシスト機能を実現することができる。
【００１７】
また、本発明のレンズ装置は、第２のフォーカスレンズが、所定の移動範囲内で前記合焦検知手段から合焦結果が得られない場合に、合焦不能を警告する警告手段を有する構成とすることができる。これにより、合焦可能か否かを容易に知ることができる。
【００１８】
また、本発明のレンズ装置は、第１のフォーカスレンズの動作を検知する検知手段を有し、検知手段が第２のフォーカスレンズによるオートフォーカスの動作中に前記第１のフォーカスレンズの動作を検知したとき、第２のフォーカスレンズの駆動手段による駆動を停止させるように構成することができる。これにより、オートフォーカス後もすぐマニュアル操作の状態に戻ることが可能となる。
【００１９】
また、本発明のレンズ装置は、オートフォーカスを実行するための第１のマニュアル操作手段は、モード選択スイッチと連動した構成を有し、モード選択スイッチにより第一モードが選択されたときには第１のマニュアル操作手段の操作により一度だけオートフォーカスが機能し、第二モードが選択されたときには第１のマニュアル操作手段の操作中オートフォーカスが機能し、第三モードが選択されたときには第１のマニュアル操作手段の操作によりオートフォーカスが機能し再度の操作によりオートフォーカス機能が停止するように構成することができる。これにより撮影者の種々の意図に応じた操作が可能となる。
【００２０】
また、本発明のレンズ装置は、マニュアルフォーカスからオートフォーカスが実行され、再度マニュアルフォーカスに戻された際に、第２のフォーカスレンズを基準位置へ戻すために操作する基準位置復帰操作手段を有し、第１のマニュアル操作手段の操作によって該第２のフォーカスレンズの駆動手段を駆動して第２のフォーカスレンズを基準位置へ戻すように構成することができる。これにより、オートフォーカス後マニュアル操作に戻った時も、通常通りのマニュアルフォーカス操作が可能となる。
【００２１】
また、本発明のレンズ装置は、マニュアルフォーカス専用モードと、マニュアルフォーカスとオートフォーカスを併用する併用モードとに切り換え可能なモード切り換え手段を有し、モード切り換え手段によるマニュアルフォーカス専用モードへの切り換えによってマニュアルフォーカスのみを行う一方、モード切り換え手段による併用モードへの切り換えによって上記のいずれかに記載のマニュアルフォーカスとオートフォーカスの実行が可能に構成することができる。
【００２２】
また、本発明のレンズ装置は、併用モードの動作中に、モード切り換え手段によるマニュアルフォーカス専用モードへの切り換えによって、第２のフォーカスレンズを基準位置へ戻すように構成することができる。
【発明の効果】
【００２３】
本発明によれば、必要性に応じて応答性良く、マニュアルフォーカスによる合焦状態をオートフォーカスにより調整可能にアシストできるようにした撮影装置を実現することができる。
【発明を実施するための最良の形態】
【００２４】
本発明を実施するための最良の形態を、以下の実施例により説明する。
【実施例】
【００２５】
［実施例１］
本発明の実施例１においては、本発明の上記構成を適用してＴＶレンズ（テレビ撮影装置）を構成した。図１は本実施例におけるマニュアルフォーカス及びＡＦを実現するＴＶレンズ（テレビ撮影装置）の構成を示したシステムブロック図である。
【００２６】
図１において、１は前玉フォーカスレンズ群、２は第２のマニュアル操作手段としての操作リングであり、前玉フォーカスレンズ群１は操作リング２と直結している。
【００２７】
回転操作する操作リング２は操作端を持つので、撮影者は前玉フォーカスレンズ群１が無限側にあるのか、あるいは至近側にあるのかを操作感覚で把握することができる。
【００２８】
３はズームレンズ群で、焦点距離を変倍するバリエータ群３ａと像面位置を補正するコンペンセータ３ｂで構成され、ズーム環４の回転操作により光軸上を移動する。
【００２９】
５は絞りユニットであり、１７は光線をアフォーカルにするためのリレーレンズ群、６は光軸上に挿入・退避が切換可能なエクステンダ−レンズ群で焦点距離を２倍・等倍に切換えている。
【００３０】
７は結像レンズ群で、パルスモータ８ａと送りネジ８ｂから成る駆動ユニット８と制御回路９により光軸方向に駆動される。また本実施例では結像レンズ群７は被写体像を結像する役目だけでなく、光学系の後部に位置する第２のフォーカス群としての役割も併せ持つ。またこの結像レンズ群７は結像系全体でなく、結像系の一部のレンズを駆動する構成としても構わない。
【００３１】
ドライブユニット１３と上記の図１の符号１〜８を有する部分をレンズ装置とする。
【００３２】
１０はカメラ装置を表し、光学系を通した被写体像は１１のＣＣＤで結像し、映像信号処理回路１２でデジタルビデオ信号に変換している。
【００３３】
また、１３はレンズ近傍に設けたドライブユニットを表し、内部にはレンズを駆動するための制御部品が格納される。
【００３４】
マニュアルでピント合せをする時は、フォーカスレンズ群１と直結した操作環２を操作する。
【００３５】
ここで、被写体のピントをマニュアルで合わせた後に、ＡＦが必要とされた時には、ＡＦスイッチ１４を操作する。ＡＦスイッチ１４の位置は特に限定するものではないが、使い勝手上レンズ近傍にあるドライブユニット１３の上面に配置することが好ましい。
【００３６】
ＡＦスイッチ１４の操作に応じて、ＣＰＵ１５は制御回路９に微小駆動の指令を出し、駆動ユニット８を介して第２のフォーカス群である結像レンズ群７を光軸方向にウォブリングする。結像レンズ群７は前玉フォーカス群に較べ質量も軽いため、ＡＦに不可欠な応答性の良い高速駆動が可能である。また、レンズが軽量のため小型のモータを用いて低消費電力で駆動することができる。
【００３７】
この時ＣＰＵ１５はカメラ部１０の映像信号処理回路１２からビデオ信号を取り込み、ビデオ信号の高周波成分から画像のコントラスト値をフレームごとに算出している。
【００３８】
図２は、本実施例におけるＡＦ時の結像レンズ群７の位置と画像のコントラスト値の関係を示したものである。図に示すように非合焦時ではコントラスト信号１６の値は低いが、合焦に近づくにつれてコントラスト信号１６は増大する。ＣＰＵ１５はこのコントラスト信号１６が最大値となる位置に結像レンズ群７を制御している。
【００３９】
本実施例の光学系はズームレンズ群３を挟んで２つのフォーカスレンズ群１、７を持つ構成であり、またフォーカスレンズ群１の位置に関わらずＡＦスイッチ１４の操作に応じて結像レンズ群７を駆動しているので、被写体のピントを合わせるために必要な結像レンズ群７の駆動距離は、前玉フォーカスレンズ群１とズームレンズ群３の位置によって変化する。例えば、第１のフォーカスレンズとしてのフォーカスレンズ群１が無限端にある場合、被写体が至近側に近づくにつれて移動量は増加すると同時に、ズーム位置が望遠端に近いほど移動量は増加する。このためフォーカスレンズ群１の位置に関わらず至近から無限までのあらゆる被写体に対して、さらにズーム位置が望遠端から広角端まで全ての条件を満たすように、結像レンズ群７を制御してフォーカス合わせをするには、結像レンズ群７は長い移動距離を必要とする。このことはレンズの長大化を招くことを意味し、特に肩担ぎで使用するＥＮＧタイプのＴＶレンズでは好ましいものではない。
【００４０】
このような理由から本発明では、第２のフォーカスレンズとしての結像レンズ群７の移動距離に制限を与え、所定の範囲のみで駆動可能な構成にすることでレンズの長大化を防いでいる。そのため送りネジ８ｂの移動範囲に制限Ｌを設け、ＡＦ時に移動範囲Ｌを超える時にはレンズ駆動を停止する機能を持たせている。
【００４１】
この機能のフローを図３を用いて説明する。第１のマニュアル操作手段としてのＡＦスイッチ１４の操作に応じて結像レンズ群７をウォブリングし（Ｓ１０１）、映像信号のコントラスト値からレンズの駆動方向を決定して（Ｓ１０２）、パルスモータ８ａで結像レンズ群７を駆動する（Ｓ１０３）。この時パルスモータ８ａの駆動パルスをカウントする（Ｓ１０４）。
【００４２】
ここで、結像レンズ群７が移動範囲内、即ちカウントするパルス数が所定のパルス以内であり（Ｓ１０５）、また映像信号のコントラスト値がピークを超えてない時は（Ｓ１０６）再度Ｓ１０３〜Ｓ１０５を繰り返す。映像信号のコントラスト値がピークと判断した時には合焦とみなし結像レンズ群７の駆動を停止する（Ｓ１０８）。
【００４３】
また、Ｓ１０５で駆動パルス数が所定の値に達し、結像レンズ群７が移動範囲の境界に位置することを検知した時には、Ｓ１０７で合焦不能である警告を表示し、映像信号のコントラスト値がピークに達していなくともレンズの駆動を停止する（Ｓ１０８）。この合焦不能の警告はドライブユニット１３の外装面の表示部１８にＬＥＤ表示すると同時に、カメラのビューファインダー１９にも表示している。
【００４４】
このように、結像レンズ群７に所定の移動範囲を設けることで、レンズを長大化することなくマニュアルフォーカスとＡＦの両方の機能を瞬時に使い分けて操作することができる。
【００４５】
ここでのＡＦは全ての撮影条件において合焦できる訳ではないが、ＴＶレンズを操るプロのカメラマンは、自分の意のままに素早く操作できるマニュアルフォーカスが撮影の基本であり、大ボケの状態からＡＦを使うケースは極めて少ない。むしろ解像力の高いＨＤレンズをマニュアル操作している最中に、小さなビューファインダーで合焦の判断に迷った時、瞬時ＡＦでピント合わせのアシストする機能を望んでいる。そこで結像レンズ群７の移動範囲Ｌは必要と想定される範囲、例えば焦点深度の約５倍が補正できる移動距離に設定している。
【００４６】
また、本実施例では、マニュアルフォーカスとＡＦのモード切換の操作なしにプッシュボタンひとつ（第１のマニュアル操作手段）でＡＦが機能するため、前述した撮影状況においてはマニュアルフォーカスからＡＦへと瞬時に移行でき、結果として素早く精度の高いピント合わせが可能となる。さらに、合焦不能の警告表示をしているため、カメラマンはＡＦ時に合焦しているかどうかを容易に知り得ることができる。
【００４７】
また、レンズをマニュアルで操作する時は、結像レンズ群７は所定の基準位置で停止しているが、ＡＦを行なうことで、結像レンズ群７は基準位置から移動する。この状態でズームレンズ群３を駆動すると光学系の結像位置が変化するので、ＣＰＵ１５はズーム環４の位置を検出するポテンションメータ２１の位置情報と、各ズーム位置に対応した結像レンズ群７の移動量データをメモリ部２２から読み込み、結像レンズ群７を駆動して結像位置を一定に維持している。
【００４８】
２０はＡＦのモードスイッチで、モード１の時はスイッチ１４を押すと一度だけＡＦが機能する。主に静止した被写体に対してピントを微調整する時に使用する。これに対してモード２はスイッチ１４を押している間だけＡＦが機能するモードで、主に被写体がカメラに向かって徐々に接近するような動体のピント合わせ時に使用すると便利である。また、モード３はスイッチ１４がオルターネートスイッチとして機能するモードで、スイッチを押すとＡＦが働き再度押すとＡＦが停止する。肩担ぎタイプのＴＶレンズでは右手でレンズを支えるため、スイッチや操作環の操作は全て左手で行なうことになる。このモードでは左手でＡＦスイッチ１４を押し、ＡＦを機能させながら手動でズームやアイリスを操作することができる。
【００４９】
また、このモードでＡＦ駆動中にマニュアルでフォーカス操作環２を操作すると、ＣＰＵ１５はポテンションメーター２３の検知結果から手動操作中と判断し、ＡＦを停止してマニュアルモードへ変更する。この様に撮影状況に応じてＡＦスイッチ１４の仕様を３つのモードの中から選択可能としている。
【００５０】
次に、ＡＦ後の処理について説明する。ＡＦ終了後は前玉フォーカスレンズ群をマニュアル操作することでさらにピントを変えることができるが、ＡＦ終了後結像レンズ群７の位置が基準位置から離れていると、マニュアルで前玉フォーカスレンズ群１を無限端へ操作した時に、遠方にある被写体にピントが合わない事態が発生する。そこで結像レンズ群７を基準位置、即ち前玉フォーカスレンズ群を無限端にした時に無限でピントがとれる位置へ復帰するための復帰スイッチ２４を設け、スイッチ２４を押すことで結像レンズ群７を基準位置へ戻す。これによりＡＦ終了後マニュアル操作に戻った時も通常通りフォーカス操作が可能となる。
【００５１】
［実施例２］
図４に、本発明の実施例２の構成を示す。図１と同一の符号は図１と同一の部材を示すものであるから、それらの説明は省略する。
【００５２】
本実施例では、マニュアルフォーカスのみを行なうマニュアルモードと、マニュアルフォーカスとＡＦを併用する併用モードとを有し、これらのモードを切換えるモード切換スイッチ２５を設けたことを特徴としている。
【００５３】
ＴＶレンズ（テレビ撮影装置）のフォーカス操作は殆どマニュアルで行なうが、撮影中ドライブユニット１３に設けたＡＦスイッチ１４を誤操作すると致命的なトラブルとなる。
【００５４】
そこで、本実施例では、モード切換スイッチ２５を設け、マニュアルモードに設定した時はＡＦスイッチ１４を押してもＡＦは機能しない構成とし、また併用モードに設定した時には、通常マニュアル操作し、必要に応じてＡＦスイッチ１４のスイッチ操作に応じてＡＦが機能する構成とした。
【００５５】
ＡＦ終了後は前玉フォーカスレンズ群１でマニュアル操作が可能であるが、モード切換スイッチ２５をマニュアルモードに戻すと、結像レンズ群７は基準位置へ復帰し、通常通りのマニュアルフォーカスを行なうことが可能となり、実施例１で示した結像レンズ群７の基準位置への復帰専用のスイッチ２４は省略している。この様に実施例２ではＡＦスイッチ及び結像レンズ群７の復帰スイッチの誤操作を防止することができる。
【００５６】
ドライブユニット１３と上記の図１の符号１〜８を有する部分をレンズ装置とする。
【図面の簡単な説明】
【００５７】
【図１】本発明の実施例１におけるマニュアルフォーカス及びＡＦを実現するＴＶレンズの構成を示したシステムブロック図。
【図２】本発明の実施例１におけるＡＦ時の結像レンズ群７の位置と画像のコントラスト値の関係を示した図。
【図３】本発明の実施例１におけるＡＦ機能を説明するフロー図。
【図４】本発明の実施例２におけるマニュアルフォーカス及びＡＦを実現するＴＶレンズの構成を示したシステムブロック図。
【符号の説明】
【００５８】
１  前玉フォーカスレンズ群
２  操作環
３  ズームレンズ群
３ａ  バリエータ群
３ｂ  コンペンセータ
４  ズーム環
５  絞りユニット
６  エクステンダ−レンズ群
７  結像レンズ群
８  駆動ユニット
８ａ  パルスモータ
８ｂ  送りネジ
９  制御回路
１０  カメラ部
１１  ＣＣＤ
１２  映像信号処理回路
１３  ドライブユニット
１４  ＡＦスイッチ
１５  ＣＰＵ
１６  コントラスト信号
１７  リレーレンズ群
１８  表示部
１９  ビューファインダー
２０  ＡＦのモードスイッチ
２１、２３  ポテンションメータ
２２  メモリ部
２４  復帰スイッチ
２５  モード切換スイッチ
【図１】
2005222036.tif 000003
【図２】
2005222036.tif 000004
【図３】
2005222036.tif 000005
【図４】
2005222036.tif 000006